(57)【要約】【課題】非常用電源を交換する際の作業性を向上させた照明器具を提供する。【解決手段】照明器具１０は、器具本体１と、光源ユニット３と、非常用電源４と、電源装置５とを備える。器具本体１は、一面を露出させた状態で天井材１００に埋込配設される。光源ユニット３は、器具本体１の内部において上記一面側に配置される。非常用電源４は、外部電源の停電時に電力を供給する。電源装置５は、複数の電子部品５２が実装された基板５１を有し、外部電源が正常に供給されている状態では外部電源により非常用電源４を充電し、外部電源が停電になると非常用電源４により光源ユニット３を点灯させる。基板５１は、厚み方向が天井材１００の表面と平行になるようにして器具本体１の内部に収納される。非常用電源４は、器具本体１の内部で且つ基板５１の一面側に配置され、光源ユニット３は、器具本体１の内部で且つ基板５１の他面側に配置されている。【選択図】図１
2015011967.tif 000002
【特許請求の範囲】
【請求項１】
一面を露出させた状態で造営材に埋込配設される器具本体と、
前記器具本体の内部において前記一面側に配置される光源ユニットと、
外部電源の停電時に電力を供給する非常用電源と、
複数の電子部品が実装された基板を有し、前記外部電源が正常に供給されている状態では前記外部電源により前記非常用電源を充電し、前記外部電源が停電になると前記非常用電源により前記光源ユニットを点灯させる電源装置とを備え、
前記基板は、厚み方向が前記造営材の表面と平行になるようにして前記器具本体の内部に収納され、
前記非常用電源は、前記器具本体の内部で且つ前記基板の一面側に配置され、前記光源ユニットは、前記器具本体の内部で且つ前記基板の他面側に配置されていることを特徴とする照明器具。
【請求項２】
前記複数の電子部品の全部が前記基板の他面に実装されていることを特徴とする請求項１記載の照明器具。
【請求項３】
前記複数の電子部品の各々は、前記基板の他面に実装される電子部品の最大高さが前記基板の一面に実装される電子部品の最大高さよりも高くなるように前記基板の何れかの面に実装されていることを特徴とする請求項１記載の照明器具。
【請求項４】
前記複数の電子部品の各々は、前記外部電源が接続される一次回路が前記基板の一面に形成され、前記光源ユニットが接続される二次回路が前記基板の他面に形成されるように前記基板の何れかの面に実装されていることを特徴とする請求項１又は３記載の照明器具。
【請求項５】
前記非常用電源が正常か否かを表示する表示部を備え、
前記表示部は、前記光源ユニット及び前記非常用電源を前記器具本体の前記一面側に投影させた際に前記光源ユニット及び前記非常用電源と重ならない位置で且つ前記器具本体の内部において前記一面側に配置されていることを特徴とする請求項１〜４の何れか１項に記載の照明器具。
【請求項６】
前記表示部は、前記基板に実装された発光素子からなることを特徴とする請求項５記載の照明器具。
【請求項７】
前記非常用電源が正常か否かを検査するための操作部を備え、
前記操作部は、前記光源ユニット、前記非常用電源及び前記表示部を前記器具本体の前記一面側に投影させた際に前記光源ユニット、前記非常用電源及び前記表示部と重ならない位置で且つ前記器具本体の内部において前記一面側に配置されていることを特徴とする請求項５又は６記載の照明器具。
【発明の詳細な説明】
【技術分野】
【０００１】
本発明は、照明器具に関するものである。
【背景技術】
【０００２】
従来より、外部電源の停電時にバッテリを電源として光源を点灯させる非常用の照明装置が提供されている（例えば特許文献１参照）。特許文献１に記載された照明装置は、下面が開口する円筒状に形成された器具本体と、天井に設けられた設置孔を塞ぐようにして器具本体の下面開口に取り付けられる枠部材と、器具本体の筒内に収納される光源部、点灯ユニット及びバッテリとを備える。
【０００３】
この照明装置では、光源部が下側中央に配置され、さらに上下方向において光源部の一部と重なるようにして光源部の上側に点灯ユニット及びバッテリが配置されている。そのため、バッテリを交換する際には、枠部材及び光源部を取り外すことになる。
【先行技術文献】
【特許文献】
【０００４】
【特許文献１】特開２０１２−７９４９９号公報
【発明の概要】
【発明が解決しようとする課題】
【０００５】
上述の特許文献１に示した照明装置では、バッテリを交換する際に枠部材だけでなく光源部も取り外さなければならず、その分作業性がよくなかった。
【０００６】
本発明は上記問題点に鑑みて為されたものであり、その目的とするところは、非常用電源を交換する際の作業性を向上させた照明器具を提供することにある。
【課題を解決するための手段】
【０００７】
本発明の照明器具は、一面を露出させた状態で造営材に埋込配設される器具本体と、前記器具本体の内部において前記一面側に配置される光源ユニットと、外部電源の停電時に電力を供給する非常用電源と、複数の電子部品が実装された基板を有し、前記外部電源が正常に供給されている状態では前記外部電源により前記非常用電源を充電し、前記外部電源が停電になると前記非常用電源により前記光源ユニットを点灯させる電源装置とを備え、前記基板は、厚み方向が前記造営材の表面と平行になるようにして前記器具本体の内部に収納され、前記非常用電源は、前記器具本体の内部で且つ前記基板の一面側に配置され、前記光源ユニットは、前記器具本体の内部で且つ前記基板の他面側に配置されていることを特徴とする。
【０００８】
この照明器具において、前記複数の電子部品の全部が前記基板の他面に実装されているのが好ましい。
【０００９】
また、この照明器具において、前記複数の電子部品の各々は、前記基板の他面に実装される電子部品の最大高さが前記基板の一面に実装される電子部品の最大高さよりも高くなるように前記基板の何れかの面に実装されているのも好ましい。
【００１０】
また、この照明器具において、前記複数の電子部品の各々は、前記外部電源が接続される一次回路が前記基板の一面に形成され、前記光源ユニットが接続される二次回路が前記基板の他面に形成されるように前記基板の何れかの面に実装されているのも好ましい。
【００１１】
また、この照明器具において、前記非常用電源が正常か否かを表示する表示部を備え、前記表示部は、前記光源ユニット及び前記非常用電源を前記器具本体の前記一面側に投影させた際に前記光源ユニット及び前記非常用電源と重ならない位置で且つ前記器具本体の内部において前記一面側に配置されているのも好ましい。
【００１２】
また、この照明器具において、前記表示部は、前記基板に実装された発光素子からなるのも好ましい。
【００１３】
また、この照明器具において、前記非常用電源が正常か否かを検査するための操作部を備え、前記操作部は、前記光源ユニット、前記非常用電源及び前記表示部を前記器具本体の前記一面側に投影させた際に前記光源ユニット、前記非常用電源及び前記表示部と重ならない位置で且つ前記器具本体の内部において前記一面側に配置されているのも好ましい。
【発明の効果】
【００１４】
造営材の表面と平行な方向において光源ユニットと非常用電源とが干渉していないので、非常用電源を交換する際に光源ユニットを取り外さなくてもよく、従来の照明装置に比べて非常用電源を交換する際の作業性を向上させることができるという効果がある。
【図面の簡単な説明】
【００１５】
【図１】本実施形態の照明器具の一例を示し、（ａ）は天井に取り付けた状態を模式的に表した断面図、（ｂ）は下側から見た模式的な平面図である。
【図２】同上の別の例を示し、（ａ）は分解斜視図、（ｂ）は下側から見た模式的な平面図である。
【発明を実施するための形態】
【００１６】
以下に、照明器具の実施形態について図１及び図２を参照しながら説明する。本実施形態の照明器具１０は、図１（ａ）に示すように、天井材１００（造営材）に設けた埋込孔１００ａを通して天井に埋込配設される天井埋込型の非常灯であって、商用電源（外部電源）が停電になると光源を点灯させるものである。なお、以下の説明では特に断りがない限り、図１（ａ）中の上下方向を上下方向と規定して以下の説明を行う。
【００１７】
図１（ａ）は本実施形態の照明器具１０を天井に取り付けた状態を模式的に表した断面図である。この照明器具１０は、器具本体１と、カバー部材２と、光源ユニット３と、非常用電源４と、電源装置５と、端子台６とを備える。
【００１８】
器具本体１は、下面が開口し且つ上下方向に長い有底筒状に形成され、器具本体１の筒内には、光源ユニット３、非常用電源４、電源装置５及び端子台６が収納される。この器具本体１は、図１（ａ）に示すように、開口側（下側）を室内側（天井材１００の下側）に露出させた状態で、天井材１００に設けた埋込孔１００ａを通して天井に埋込配設される。
【００１９】
カバー部材２は、外径寸法が器具本体１の開口寸法より大きく設定された円板状の本体部２１を有し、本体部２１の上面には、外径寸法が器具本体１の開口寸法と同寸法に設定された扁平且つ円筒状の挿入部２２が一体に設けられている。このカバー部材２は、挿入部２２を器具本体１の筒内に挿入させた状態で器具本体１に取り付けられ、器具本体１の下面開口を閉塞する（図１（ａ）参照）。
【００２０】
カバー部材２において非常用電源４と対応する部位には、図１（ｂ）に示すように、非常用電源４を挿通させる挿通孔２１ａが設けられており、この挿通孔２１ａを通して非常用電源４を着脱することができる。つまり、器具本体１からカバー部材２を取り外すことなく、非常用電源４を着脱することができる。また、カバー部材２において光源ユニット３と対応する部位には、図１（ｂ）に示すように、光源ユニット３の照射面３１を外部に露出させる開口部２１ｂが設けられている。
【００２１】
光源ユニット３は、例えば発光ダイオード（ＬＥＤ）を光源とし、カバー部材２の開口部２１ｂを通して照射面３１を外部に露出させるようにして器具本体１の下面側（一面側）に配置される。この光源ユニット３は、商用電源の停電時に非常用電源４から供給される直流電力によって点灯し、商用電源が正常に供給されている状態では点灯しない。つまり、この光源ユニット３は、商用電源の停電時にのみ点灯する非常用の光源である。
【００２２】
非常用電源４は、上下方向に長い矩形箱状に形成された本体部４１を有し、本体部４１の内部には複数の蓄電池（図示せず）が上下方向に並べて収納されている。また、本体部４１の上端には、端子台６との間を電気的に接続する接続部（図示せず）が設けられている。この非常用電源４は、商用電源が正常に供給されている間は電源装置５により蓄電池が充電され、商用電源が停電になると蓄電池に蓄積させた直流電力を光源ユニット３に供給する。
【００２３】
電源装置５は、図１（ａ）に示すように、上下方向に長い矩形板状に形成された基板５１を有し、基板５１の一面（図１（ａ）中の左側の面）には複数の電子部品５２が実装されている。これらの電子部品５２は、商用電源からの交流電力を所定の電圧値の直流電力に変換して非常用電源４の蓄電池に充電する充電回路と、非常用電源４の蓄電池に蓄積させた直流電力を光源ユニット３に供給して光源ユニット３を点灯させる給電回路とを形成する。
【００２４】
端子台６は、非常用電源４と電源装置５の間を電気的に接続するものであり、電源装置５との間が電線（図示せず）により電気的に接続されている。また、端子台６において非常用電源４の接続部と対応する部位には、上記接続部が差込接続される被接続部（図示せず）が設けられている。そして、非常用電源４側の接続部を端子台６側の被接続部に差し込むことで、端子台６を介して非常用電源４と電源装置５とが電気的に接続される。
【００２５】
ここで、図１（ｂ）は照明器具１０を下側から見た模式的な平面図である。本実施形態では、厚み方向が天井材１００の表面と平行になるようにして基板５１を器具本体１の筒内に収納し、基板５１の一面側（図１（ｂ）中の右側）に非常用電源４を、基板５１の他面側（図１（ｂ）中の左側）に光源ユニット３をそれぞれ配置している。また、本実施形態では、基板５１に実装された複数の電子部品５２と光源ユニット３とが、基板５１に対して同じ側（図１（ｂ）中の左側）に配置されている。
【００２６】
上述のように、天井材１００の表面と平行な方向において基板５１の一面側に非常用電源４を配置し、基板５１の他面側に光源ユニット３を配置することで、天井材１００の表面と平行な方向において光源ユニット３と非常用電源４とが干渉しない。そのため、非常用電源４を取り外す際に光源ユニット３を取り外さなくてもよく、従来の照明装置に比べて非常用電源４を交換する際の作業性を向上させることができる。
【００２７】
また、天井材１００の表面と平行な方向において光源ユニット３と非常用電源４とが干渉しないように配置することで、光源ユニット３と非常用電源４を同じ高さに配置することができ、これにより器具全体の高さを低くすることができる。
【００２８】
さらに、本実施形態のように、基板５１の一方の面（図１（ｂ）中の左側の面）のみに電子部品５２を実装することで、電源装置５の包括体積を小さくすることができる。また、本実施形態のように、基板５１において非常用電源４と反対側の面のみに電子部品５２を実装することで、天井材１００と平行な方向において基板５１を器具本体１の中央寄りに配置することができる。これにより、天井材１００の表面と平行な方向における器具本体１の寸法を小さくすることができる。
【００２９】
図２（ａ）は本実施形態の照明器具の別の例を示す分解斜視図である。本例の照明器具１０は、非常用電源４が正常か否かを検査するための操作部８と、非常用電源４が正常か否かを表示する表示部７とを備えている点で上述の照明器具１０と異なっている。
【００３０】
本例の照明器具１０は、器具本体１と、カバー部材２と、光源ユニット３と、非常用電源４と、電源装置５と、端子台（図示せず）と、表示部７と、操作部８とを備える。
【００３１】
器具本体１は、下面が開口し且つ上下方向に長い有底筒状に形成され、器具本体１の筒内には、光源ユニット３、非常用電源４、電源装置５及び端子台が収納される。また、器具本体１の開口端縁には、複数（図２（ａ）では２個）の発光ダイオード（ＬＥＤ）を有する表示部７と、複数（図２（ａ）では２個）の操作スイッチを有する操作部８とが配置されている。つまり、表示部７及び操作部８は、器具本体１の筒内において下面側（一面側）に配置されている。
【００３２】
カバー部材２は、外径寸法が器具本体１の開口寸法より大きく設定された円板状の本体部２１を有し、本体部４１の上面には、外径寸法が器具本体１の開口寸法と同寸法に設定された扁平且つ円筒状の挿入部２２が一体に設けられている。このカバー部材２は、挿入部２２を器具本体１の筒内に挿入させた状態で器具本体１に取り付けられ、器具本体１の下面開口を閉塞する。
【００３３】
カバー部材２において非常用電源４と対応する部位には、非常用電源４を挿通させる挿通孔２１ａが設けられており、カバー部材２において光源ユニット３と対応する部位には、光源ユニット３の照射面３１を外部に露出させる開口部２１ｂが設けられている。また、カバー部材２において表示部７と対応する部位には、円形の表示孔２１ｃが各発光ダイオードと対応するようにして設けられており、カバー部材２において操作部８と対応する部位には、各操作スイッチを露出させる露出孔２１ｄが設けられている。
【００３４】
なお、本例のカバー部材２には、図２（ａ）に示すように、一対の取付ばね９が取り付けられている。そして、天井材１００に設けた埋込孔１００ａを通して器具本体１を天井に埋込配設した状態では、各取付ばね９が埋込孔１００ａの開口端縁に引っ掛かり、これにより照明器具１０が天井に取り付けられる。
【００３５】
ここで、図２（ｂ）は本例の照明器具１０を下側から見た模式的な平面図であり、本例では、光源ユニット３及び非常用電源４を器具本体１の下面側（一面側）に投影させた際に光源ユニット３及び非常用電源４と重ならない位置に表示部７を配置している。また、本例では、光源ユニット３、非常用電源４及び表示部７を器具本体１の下面側（一面側）に投影させた際に光源ユニット３、非常用電源４及び表示部７と重ならない位置に操作部８を配置している。
【００３６】
その結果、図２（ａ）に示すように、表示部７及び操作部８を器具本体１の下面側（一面側）に配置できることから、器具本体１の高さを低くすることができ、結果的に器具全体の高さを低くすることができる。また、表示部７を設けることで非常用電源４が正常か否かを簡単に知ることができる。さらに、利用者が操作部８を操作するだけで非常用電源４の検査を行うことができる。
【００３７】
ここに、基板５１の他面（光源ユニット３との対向面）に実装される電子部品５２の最大高さが基板５１の一面（非常用電源４との対向面）に実装される電子部品５２の最大高さよりも高くなるように各電子部品５２を実装するのも好ましい。この場合、天井材１００と平行な方向において基板５１を器具本体１の中央寄りに配置することができるので、天井材１００の表面と平行な方向における器具本体１の寸法を小さくすることができる。
【００３８】
また、商用電源が接続される一次回路を形成する電子部品５２を基板５１の一面（非常用電源４との対向面）に実装し、光源ユニット３が接続される二次回路を形成する電子部品５２を基板５１の他面（光源ユニット３との対向面）に実装するのも好ましい。この場合、二次回路と光源ユニット３とが近接していることから、二次回路と光源ユニット３の間の配線長が短くなって配線を簡略化でき、さらに二次回路と光源ユニット３をコネクタ接続にした場合には配線レス化を図ることができる。
【００３９】
さらに、基板５１に実装した発光素子（図示せず）により表示部７を構成するのも好ましい。この場合、上記発光素子を実装するための基板を別に設けなくてもいいことから、この基板を収納するためのスペースを設けなくてもよく、その分器具本体１を小さくすることができる。
【００４０】
照明器具１０は、器具本体１と、光源ユニット３と、非常用電源４と、電源装置５とを備える。器具本体１は、一面を露出させた状態で天井材１００に埋込配設される。光源ユニット３は、器具本体１の内部において上記一面側に配置される。非常用電源４は、外部電源の停電時に電力を供給する。電源装置５は、複数の電子部品５２が実装された基板５１を有し、外部電源が正常に供給されている状態では外部電源により非常用電源４を充電し、外部電源が停電になると非常用電源４により光源ユニット３を点灯させる。基板５１は、厚み方向が天井材１００の表面と平行になるようにして器具本体１の内部に収納される。非常用電源４は、器具本体１の内部で且つ基板５１の一面側に配置され、光源ユニット３は、器具本体１の内部で且つ基板５１の他面側に配置されている。
【００４１】
複数の電子部品５２の全部が基板５１の他面に実装されているのが好ましい。
【００４２】
複数の電子部品５２の各々は、基板５１の他面に実装される電子部品５２の最大高さが基板５１の一面に実装される電子部品５２の最大高さよりも高くなるように基板５１の何れかの面に実装されているのも好ましい。
【００４３】
複数の電子部品５２の各々は、外部電源が接続される一次回路が基板５１の一面に形成され、光源ユニット３が接続される二次回路が基板５１の他面に形成されるように基板５１の何れかの面に実装されているのも好ましい。
【００４４】
照明器具１０は、非常用電源４が正常か否かを表示する表示部７を備える。表示部７は、光源ユニット３及び非常用電源４を器具本体１の上記一面側に投影させた際に光源ユニット３及び非常用電源４と重ならない位置で且つ器具本体１の内部において上記一面側に配置されているのも好ましい。
【００４５】
表示部７は、基板５１に実装された発光素子からなるのも好ましい。
【００４６】
照明器具１０は、非常用電源４が正常か否かを検査するための操作部８を備える。操作部８は、光源ユニット３、非常用電源４及び表示部７を器具本体１の上記一面側に投影させた際に光源ユニット３、非常用電源４及び表示部７と重ならない位置で且つ器具本体１の内部において上記一面側に配置されているのも好ましい。
【符号の説明】
【００４７】
１  器具本体
３  光源ユニット
４  非常用電源
５  電源装置
１０  照明器具
５１  基板
５２  電子部品
１００  天井材（造営材）
【図１】
2015011967.tif 000003
【図２】
2015011967.tif 000004